(57)【要約】【課題】カソードオフガスの排出音の消音に積極的に使用する消音構造を備えた燃料電池の排出ガス処理装置を提供する。【解決手段】燃料電池からパージされる水素ガスを、燃料電池から排出されるカソードオフガスと混合、希釈して大気に放出する燃料電池の排出ガス処理装置において、希釈容器６の入口側または出口側の少なくとも一方に、カソードオフガスを膨張させて消音する膨張室２５，２６を一体的に設けた。この膨張室２５，２６でカソードオフガスを膨張させることで、カソードオフガスの排出音の消音にも積極的に使用する。【選択図】      図４
2005011640.tif 000002
【特許請求の範囲】
【請求項１】
燃料電池からパージされる水素ガスを、燃料電池から排出されるカソードオフガスと混合、希釈して大気に排出する希釈容器を設けた燃料電池の排出ガス処理装置において、
該希釈容器の入口側および出口側の少なくとも一方に、カソードオフガスを膨張させて消音する膨張室を設けたことを特徴とする燃料電池の排出ガス処理装置。
【請求項２】
請求項１に記載の燃料電池の排出ガス処理装置であって、
前記希釈容器は、導入された水素ガスを蓄えてカソードオフガスを通流する通路に設けた穴部から水素を吸い出して希釈する希釈室を備えてなり、該希釈室内の通路に吸音材を設置したことを特徴とする燃料電池の排出ガス処理装置。
【請求項３】
請求項１に記載の燃料電池の排出ガス処理装置であって、
前記希釈容器は、導入された水素ガスを蓄えてカソードオフガスを通流する通路に設けた穴部から水素を吸い出して希釈する希釈室を備えてなり、前記カソードオフガスの通流する通路を希釈容器の中心部からずらして配置したことを特徴とする燃料電池の排出ガス処理装置。
【発明の詳細な説明】
【０００１】
【発明の属する技術分野】
本発明は、燃料電池の排出ガス処理装置に関し、詳しくは燃料電池発電システムの排出ラインにおいて、水素ガスを希釈すると共にカソードオフガスの排出音を消音する構造の希釈容器を備えた燃料電池の排出ガス処理装置に関するものである。
【０００２】
【従来の技術】
電気自動車等の燃料電池発電システムにおいて、例えば純水素（以下、「水素」という。）を燃料とする場合、燃料電池への水素の供給は、その燃費をよくして利用効率を上げるために、アノード配管系に循環系を採用している。この循環方式としては、負圧を発生させて水素を吸引するエゼクタや、真空ポンプなどを利用する。このような循環系で水素の循環を長時間続けていると、水素中の不純物、例えば、窒素の濃度が高まり、それに連れて水素の濃度が低下し、発電の効率を悪くすることがある。そこで、窒素等の不純物や水を排出するパージ操作が必要になる。ところが、アノード配管系には、水素が満たされているため、このパージ操作中に水素も一緒に外部へ排出されてしまう。ここで、排出される水素には不純物が含まれていても濃度が高く、濃度の高い水素をそのまま大気に排出したのでは不都合が多い。また、循環系に水分が溜まって燃料電池システムのアノード配管系内の水素の流れを悪くすることがある。そこで、燃料電池の循環系内に気液分離器を設けて水分を除去し、この循環系から排出される水素オフガスを希釈装置である希釈器内で滞留させ、酸素オフガス（空気）と混合させて水素濃度を希釈してから、更にマフラの下流で合流させて大気に排出するようにしている（例えば、特許文献１参照）。
【０００３】
【特許文献１】
特開２００２−２８９２３７号公報（１２−１３頁、図７−８）
【０００４】
【発明が解決しようとする課題】
前記特許文献１に記載のように、水素ガスの排出ラインに使用する希釈装置は、アノード系のドレーンまたはパージの際に放出される水素を適切に車外に放出する上で不可欠なデバイスであり、また、排出ラインに取り付けるマフラのような消音装置は、パージの際に発する不快なパージ音などを消音して商品性を確保する上でも不可欠なデバイスである。
【０００５】
しかしながら、前記従来技術の手法では、希釈と消音という二つの機能のために、別個のデバイスを持つ必要があり、システムのレイアウト性、コスト、重量などにおいて問題があった。また、排出ガス配管取り回しのために、配管の途中にかけあがりなどがあり、排出ガス内の水分の凍結による閉塞の恐れもある。それらをレイアウトにて対策すると、最低地上高が下がるなど商品性においても不利になる。
【０００６】
本出願人は、前記特許文献１に記載の希釈装置を更に改良した構造の排出燃料希釈器を先に出願して提案している（例えば、特願２００２−２８８８９０号）。この先出願の発明は、図５に示すように、排出燃料希釈器（６）を、燃料電池からパージされる水素ガスを導入する入口部（８）と、この入口部（８）から導入された水素ガスを滞留する滞留室（１８）と、この滞留室（１８）を貫通して設けられたカソード配管（１４）とを備える構成とし、このカソード配管（１４）は、配管の途中に穴部（２１）を設けるとともに、燃料電池のカソード排出空気（排出ガス）が供給され、前記穴部（２１）から滞留室（１８）の水素ガスをカソード配管（１４）内に吸い込み、この水素ガスを燃料電池から排出されるカソード排出空気（排出ガス）と混合して希釈した後、大気に排出するようにしたものである。
【０００７】
しかしながら、この先願に係る排出燃料希釈器は、希釈容器のボックスにパージされる水素ガスを滞留する滞留室（１８）と、この滞留室（１８）を貫通して設けられたカソード配管（１４）とを一つの希釈容器内に配設した構造である。それゆえ、先願に係る排出燃料希釈器はカソードオフガスを消音に利用するものではなく、したがって、消音構造の点からはまだ消音効果は充分と言えるものではなかった。
【０００８】
そこで、本発明は、水素ガス希釈容器としての機能を満足した上で、カソードオフガスの排出音の消音装置にも積極的に使用する消音構造を備えた燃料電池の排出ガス処理装置を提供することを目的とする。
【０００９】
【課題を解決するための手段】
前記課題を解決した本発明のうちの請求項１に記載の発明は、燃料電池からパージされる水素ガスを、燃料電池から排出されるカソードオフガスと混合、希釈して大気に排出する希釈容器を設けた燃料電池の排出ガス処理装置において、
該希釈容器の入口側および出口側の少なくとも一方に、カソードオフガスを膨張させて消音する膨張室を設けたことを特徴とする。
【００１０】
請求項１に記載の発明によれば、消音能力と希釈能力を一つのデバイスで受け持つことができ、コストの低減と、重量の軽量化を図ることができ、さらに一つの希釈容器内に希釈室と膨張室とを設けることで、二つの機能を備えることができて小型化を図ることができる。
【００１１】
請求項２に記載の発明は、請求項１に記載の燃料電池の排出ガス処理装置であって、前記希釈容器には導入された水素ガスを蓄えてカソードオフガスを通流する通路に設けた穴部より水素を吸い出して希釈する希釈室を設けてあり、該希釈室内の通路に吸音材を設置したことを特徴とする
【００１２】
請求項２に記載の発明によれば、カソードオフガスの排出音をさらに減衰させる場合に、通路に吸音材を設けることで、この通路自体の共振を抑制すると共に、吸音材の吸音効果によりカソードオフガスの排出音を減衰させることができる。なお、希釈室内の内壁面にも吸音材を配設すると、吸音と共振抑制による減衰効果を一層高めることができる。
【００１３】
請求項３に記載の発明は、請求項１に記載の燃料電池の排出ガス処理装置であって、前記希釈容器に導入された水素ガスを蓄えてカソードオフガスを通流する通路に設けた穴部より水素を吸い出して希釈する希釈室を設け、前記カソードオフガスの通流する通路を希釈容器の中心部からずらして配置したことを特徴とする。
【００１４】
請求項３に記載の発明によれば、カソードオフガスの排出音をさらに減衰させる場合に、共振と共鳴を防止するためにカソードオフガスの通流する通路を希釈容器の中心部からずらして配置することで、距離を置いて濃い水素が流れ込まないようにすると共に、共振と共鳴を抑制することができる。
【００１５】
なお、請求項１ないし請求項３に記載の発明において、希釈容器の外形形状を楕円筒状や円筒状に形成すれば、面共振による音源化を防ぐことができる。
【００１６】
【発明の実施の形態】
以下、図面を参照して、本発明に係る実施形態の燃料電池の排出ガス処理装置の詳細について説明する。参照する図面において、図１は本発明に係る実施形態の燃料電池の排出ガス処理装置を備えた燃料電池電気自動車を示す平面図であり、図２は燃料電池の排出ガス処理装置を有する燃料電池システムを示す説明図である。図３は燃料電池の排出ガス処理装置における希釈容器の消音構造を示す概略説明図である。図４は図３で示した希釈容器の各部の構造を説明するための斜視図である。なお、図３および図４は、特に、希釈容器の消音構造と、カソードオフガスとパージ水素の流れや動きを表現するために各部品を模式的に表しているにすぎず、各部品の位置関係はこれに限定されない。特に、図３および図４において、希釈室２４に対するアノード配管系の接続構造では、説明の便宜のためにパージ水素配管８のみを示しており、図２で示したドレーン配管１０およびドレーン配管１１は省略している。また、図中の矢印は、ガスの流れを示している。
【００１７】
図１に示すように、燃料電池電気自動車（以下、「車両」という。）１の略中央部の床下に、燃料電池システムボックス２が配設されている。燃料電池システムボックス２の内部には、燃料電池システム、即ち、温調器３、燃料電池スタック４、加湿器５および排出燃料の希釈容器６が車両１の前方から後方に向かって順に配設されている。燃料電池システムは、前記機器３〜６のほかに、燃料電池スタック４を冷却する不図示のラジエータや図２に示す高圧水素容器２７、排出する空気の量を調整可能にするコンプレッサ２９などから構成されている。
【００１８】
燃料電池スタック４は、高圧水素容器２７に貯留された燃料となる水素と、車外から取り入れた空気を供給されて発電を行い、車両１を駆動するための電気を発電供給する。この燃料電池スタック４を好適に作動させるために、温調器３で燃料電池スタック４に供給される水素および空気の温度調整を行い、加湿器５で燃料電池スタック４に供給される水素および空気を加湿する。希釈容器６は、アノード配管系からのパージ水素を放出させて滞留させ、カソードオフガス（排気空気）と混合して希釈してから車両１の外に排出する。
【００１９】
図２に示すように、燃料電池スタック４は、高圧水素容器２７に貯留された燃料となる水素と、コンプレッサ２９から供給される空気（以下、「供給空気」という。）との電気化学反応により発電を行なうものである。また、この燃料電池スタック４の下部には、発電に伴って生成される水などのドレーンを排出燃料の希釈容器６へ排出するためのアノードドレーン配管１０が接続されている。なお、この燃料電池スタック４内で生成された水は、アノードドレーン配管１０の適所に設けられた開閉弁１２を手動または自動で開閉することにより、排出燃料の希釈容器６へ流れるようになっている。
【００２０】
燃料電池スタック４のアノード側には、その入口に高圧水素容器２７からの水素を導く水素供給配管２８が接続され、その出口に水素を再度燃料電池スタック４へ戻すための循環用配管（循環系）７が接続されている。この循環用配管７は、燃料電池スタック４で一度使用された水素を、その燃費を良くして利用効率を上げるため、循環用配管７により加湿器５の上流側に戻すようにするものである。そして、この循環用配管７には、その内部に溜まっている水素中の不純物や燃料電池スタック４内で生成される水を含んだ水素を希釈容器６へ排出するためのパージ水素配管８が分岐して接続されている。なお、この循環用配管７内の水素は、パージ水素配管８の適所に設けられたパージ弁９が不図示の制御装置からの信号により所定の間隔をおいて開閉されることで、希釈容器６へ間欠的にパージ（排出）されるようになっている。
【００２１】
燃料電池スタック４のカソード側には、その入口にコンプレッサ２９からの供給空気を導く空気供給配管３０が接続され、その出口に燃料電池スタック４から排出される空気（以下、カソードオフガスという。）を外部へ導くカソードオフガス配管１４が接続されている。このカソードオフガス配管１４の下流側は、希釈容器６へ接続されている。このカソードオフガスは、カソードオフガス配管１４の適所に設けられる希釈容器６内で後記するようにパージ水素の適正な水素濃度の希釈化に使用された後、希釈されたパージ水素と共に外部へ排出されるようになっている。
【００２２】
加湿器５は、水素供給配管２８の適所に設けられ、その下部に水などのドレーンを希釈容器６へ排出するための加湿器ドレーン配管１１が接続されている。なお、この加湿器５内のドレーンは、加湿器ドレーン配管１１の適所に設けられた開閉弁１３を手動または自動で開閉することにより、希釈容器６へ流れるようになっている。また、図示は省略するが、空気供給配管３０にも、同様に加湿器、加湿器ドレーン配管および開閉弁が設けられ、その加湿器５のドレーンを希釈容器６へ排出するようになっている。図２では、アノードドレーン配管１０および加湿器ドレーン配管１１は、前記のように希釈容器６に対して個別にそれぞれ接続した態様を示しているが、このアノードドレーン配管１０および加湿器ドレーン配管１１は、図示は省略するが、パージ水素配管８の下流側にそれぞれ接続し、このパージ水素配管８を介して希釈容器６へと接続するようにしてもよい。
【００２３】
希釈容器６は、燃料電池スタック４からパージされる水素ガスを、燃料電池スタック４から排出されるカソードオフガスと混合、希釈して大気に放出するものである。この希釈容器６は、アノード系の配管が接続される希釈室２４と、カソード系のカソードオフガス配管１４が接続される膨張室２５，２６とを有する。希釈容器６の詳細な構造は後記するが、アノード系の配管が接続される希釈室２４は、主に循環用配管７から間欠的にパージされる水素を一旦貯蔵して滞留させておき、このパージ水素を導出口１７から通路１６を通流するカソードオフガスの流れに吸い出され、あるいはガス交換されるように構成して水素ガスの希釈化を図るためのものである。また、希釈容器６の入口側（上流側）の膨張室２５は、カソードオフガス配管１４から水素ガスの希釈に使用されるカソードオフガスを導入して拡散・膨張させることにより圧力エネルギーを低下させて、カソードオフガスの排出音を消音させるものであり、出口側（下流側）の膨張室２６は、大気へ排出する前に再度カソードオフガスおよび水素を拡散・膨張させて、さらに消音効率を高めさせるものである。なお、本実施の形態では図示しないが、この膨張室は、少なくともどちらか１つの膨張室が設けられていればよく、また、３つ以上の膨張室が多段に設けられてもよい。
【００２４】
次に、図３および図４を参照して、本実施の形態の希釈容器６の構造について説明する。図示の実施の形態において、希釈容器６は、カソードオフガス配管１４が接続される上流側の前壁１８と、排出管２３が設けられる下流側の後壁１９と、を有する円筒状の外形を有し、その内部に隔壁２０および隔壁２１により画成される３つの室を有する隔壁室構造の容器である。図において、黒細線矢印は、パージ水素ガスの流れを示し、白矢印は、カソードオフガスの流れを示している。また、ハッチング矢印は、希釈後のパージ水素の流れを示している。
【００２５】
希釈室２４は、隔壁２０および隔壁２１により区画された希釈容器６の中間に配設された室である。希釈室２４は、循環用配管７から間欠的にパージされる水素を一旦貯蔵して滞留しておく室であり、パージ水素がパージ水素配管８から希釈室２４へ導入される際、容積が膨張拡大されるので拡散して一旦滞留させられる。
【００２６】
膨張室２５および膨張室２６は、排出ガスの流れに対して希釈容器６の入口側（上流側）に膨張室２５が配設されており、出口側（下流側）に膨張室２６が配設されている。この膨張室２５，２６では、燃料電池４から排出されるカソードオフガスが、カソードオフガス配管１４から入口側の膨張室２５に導入されると、希釈室２４と同様に体積が膨張拡大して膨張室２５内に拡散・膨張するようになっている。なお、この膨張室は、本実施の形態では入口側と出口側とで２段の膨張室が設けられているが、少なくとも入口側または出口側に１段設けられていればよく、３段以上の多段の膨張室を設けることもできるが、その場合は、それだけカソードオフガスの消音効果は大きくなる。また、このように膨張室を多段に設ける場合、膨張室と希釈室とを交互に設ける場合のほかに、図３および図４に示す構造に付加して、上流側または下流側に複数の膨張室だけを多段に隣接配置して設ける構造としてもよい。
【００２７】
隔壁２０および隔壁２１は、希釈容器６の内部において互いに間隔を置いて希釈容器６の前壁１８と後壁１９とから離間した位置に配設されている。この上流側の隔壁２０には、前壁１８を貫通してパージ水素配管８が接続されている。図において、このパージ水素配管８は、その先端が隔壁２０よりも延長して希釈室２４内ヘ侵入するように接続されているが、希釈室２４内ヘ延長されていなくても隔壁２０へ接続されて、パージ水素をこの希釈室２４内ヘ放出できさえすればよい。
【００２８】
通路１６は、希釈室２４の両側の隔壁２０および隔壁２１を貫通して膨張室２５および膨張室２６間を連通して配設されている。この通路１６は、管状部材により形成されるものであり、希釈室２４内における通路１６の外周面には、吸音材２２が配置されている。通路１６の希釈室２４内における適宜箇所には、吸音材２２の外周から通路１６内まで貫通形成された複数の穴部１７が設けられている。この吸音材２２は、ＳＵＳウール、グラスウールなど公知の吸音材料が使用可能である。なお、吸音材２２は、通路１６の外周だけでなく、希釈室２４の内周面全体に設けてもよい。
【００２９】
膨張室２６の出口側には、排出管２３が最下部に配置されており、希釈後のパージ水素と共にカソードオフガスはこの排出管２３から大気へ放出される。また、希釈容器６内で凝縮された水やドレーンなどの不純物もこの排出管２３から外部へ排出されるようになっている。
【００３０】
次に、本実施の形態の希釈容器６に併設されたカソードオフガスの消音器として構成した膨張室２５，２６の機能と効果について説明する。図２〜図４に示すように、カソードオフガスは、カソードオフガス配管１４から入口側の膨張室２５に導入されると、この膨張室２５内でその体積が拡大されて膨張させられる。これにより、カソードオフガスの排出音は、膨張室２５内でエネルギーを消費させられて消音される。
【００３１】
通路１６は、膨張室２５内で膨張させられたカソードオフガスを、さらに出口側の膨張室２６へと通流させるカソードオフガスの通路を形成するものである。カソードオフガスがこの通路１６を通流するとき、穴部１７から希釈室２４内のパージ水素を吸い出して、あるいはガス交換して、カソードオフガスと混合して希釈する。
【００３２】
この通路１６を通流して出口側の膨張室２６内へ導入されたカソードオフガスは、この膨張室２６内で再びその体積が拡大膨張させられる。これにより、膨張室２５で一旦消音されたカソードオフガスの排出音は、膨張室２６内でのエネルギー消費によりさらに消音効果が高められる。このように効率よく消音された後、カソードオフガスは、この膨張室２６の最下部に配置された排出管２３から大気へと放出されるものである。
【００３３】
このように、希釈容器６の中心部より通路１６を下方側にずらして配置したことにより、導入されたカソードオフガスはラビリンス構造の迷路内をジグザグ状に流れて移動するので、この希釈容器６内での消音効果は一層高められる。
【００３４】
さらに、本実施の形態においては、図３および図４に示すように、通路１６の外周に吸音材２２を配設してある。この吸音材２２を配設することで、この通路１６自体の共振を抑制すると共に、カソードオフガスの吸音により排出音の減衰効果を一層高めることができる。また、このような吸音材を希釈室２４の内周面全体にも設けると、さらに吸音による排出音の減衰効果を高めることができる。
【００３５】
また、希釈容器６の外形形状を楕円筒状や円筒状に形成すれば、面共振による音源化を防ぐことができる。
【００３６】
次に、本実施形態における希釈室２４、その他の機能と効果について説明する。図２〜図４に示すように、パージ水素は、パージ水素配管８から膨張室２５内を貫通して希釈室２４内へ放出される。パージ水素は、この希釈室２４内で体積を膨張拡大して一旦滞留させられた後、通路１６を流れるカソードオフガスにより穴部１７から吸い出されるように構成してあるため、この通路１６を流れるカソードオフガスと混合、希釈されることになる。同時に、この膨張拡大された閉空間を有する希釈室２４を吸音室または共鳴室として利用することができるので、水素ガスのパージ音を減衰させることができる。さらに、この減衰させられたパージ音は、通路１６と穴部１７を介して膨張室２５，２６へと伝播し、再び拡大されたこの膨張室の閉空間により、パージ音をさらに減衰させることができる。
【００３７】
また、希釈室２４内へパージ水素を導入するパージ水素配管８と隔壁２０との接続部は、膨張室２５内のカソードオフガスで完全に包まれているので、この接続部から、万一、水素もれが生じるようなことがあっても、直接外部へ漏れることが防止できる利点を有する。
【００３８】
本実施の形態の希釈容器６を自動車などの車両１に適用した場合、希釈容器６に消音機能を一体化して備えることにより、車両１内側の燃料電池システム近傍に希釈容器６を配置できるため、配管の取り回し向上とレイアウト性の向上が図れ、配管の立ち上がりを回避できるので凍結時の閉塞を防止することができる。また、車両１の後部まで配管を取り回す必要がないため、排出系の衝突時のクラッシャブルゾーンも確保できる。
【００３９】
以上、本発明は、前記実施の形態に限定されることなく、様々な態様で実施される。本実施の形態では、希釈容器６は、その外形形状を楕円筒状や円筒状のほか、箱状に形成したものが利用でき、ボックス状の容器であればよく、特に希釈容器の形状を特定するものではない。また、燃料電池の排気空気として、カソードオフガスを利用したが、本発明はこれに限定されず、前記供給空気を利用してもよい。
【００４０】
【発明の効果】
請求項１の発明によれば、消音能力と希釈能力を一つのデバイスで受け持つことができ、コストの低減と、軽量化を図ることができ、さらに一つの希釈容器内に希釈室と膨張室とを設けることで、二つの機能を備えることができて小型化を図ることができる。
【００４１】
請求項２の発明によれば、通路に吸音材を配設することで、この通路自体の共振を抑制すると共に、吸音材の吸音効果により排出音を減衰させることができる。また、希釈室内の内壁面にも吸音材を配設すると、吸音と減衰効果を一層高めることができる。
【００４２】
請求項３の発明によれば、通路を希釈容器の中心部からずらして配置することで、共振と共鳴を抑制することができ、ラビリンス構造により消音効果を高めることができる。
【図面の簡単な説明】
【図１】本発明に係る燃料電池の排ガス処理装置を備えた燃料電池電気自動車を示す平面図である。
【図２】燃料電池の排ガス処理装置を有する燃料電池システムを示す説明図である。
【図３】燃料電池の排出ガス処理装置における希釈容器の消音構造を示す概略説明図である。
【図４】図３に示した希釈容器の各部の構造を説明するための斜視図である。
【図５】本発明の先願に係る排出燃料希釈器の説明図である。
【符号の説明】
４      燃料電池スタック
６      希釈容器
７      循環用配管（循環系）
８      パージ水素配管
１４      カソードオフガス配管
１６      通路
１７      穴部
２０，２１    隔壁
２４        希釈室
２５，２６    膨張室
【図１】
2005011640.tif 000003
【図２】
2005011640.tif 000004
【図３】
2005011640.tif 000005
【図４】
2005011640.tif 000006
【図５】
2005011640.tif 000007